(57)【要約】【課題】ピッキングの質感が異なる複数のギター奏法を１枚のギター用ピックで実現する。【解決手段】ギター用ピック１は、平面視において略三角形状であり、把持部２と、第１角部３Ａ、第２角部３Ｂおよび第３角部３Ｃの３つの打弦部３とから構成される。第１角部３Ａ、第２角部３Ｂおよび第３角部３Ｃのそれぞれの曲率半径は互いに異なり、第１角部３Ａの曲率半径が最も小さく、第３角部３Ｃの曲率半径が最も大きく設定されている。第１角部３Ａの曲率半径は、０．５ｍｍ以上、かつ３．０ｍｍ以下であり、第２角部３Ｂの曲率半径は、第１角部３Ａの曲率半径の２倍以上、かつ４倍未満であり、第３角部３Ｃの曲率半径は、第１角部３Ａの曲率半径の４倍以上、かつ１６倍以下である。【選択図】図２
0003224197.tif 000002
【実用新案登録請求の範囲】
【請求項１】
第１角部と、
第２角部と、
第３角部と、
前記第１角部と前記第２角部とを繋ぐ第１辺と、
前記第２角部と前記第３角部とを繋ぐ第２辺と、
前記第３角部と前記第１角部とを繋ぐ第３辺と、
を有し、
前記第１角部の曲率半径、前記第２角部の曲率半径および前記第３角部の曲率半径が互いに異なり、前記第２角部の曲率半径は、前記第１角部の曲率半径の２倍以上、かつ４倍未満であり、前記第３角部の曲率半径は、前記第１角部の曲率半径の４倍以上、かつ１６倍以下である、ピック。
【請求項２】
請求項１記載のピックにおいて、
前記第１角部の曲率半径は０．５ｍｍ以上、かつ３．０ｍｍ以下である、ピック。
【請求項３】
請求項１または２記載のピックにおいて、
前記ピックの素材はジルコニアである、ピック。
【請求項４】
請求項１〜３のいずれか１項に記載のピックにおいて、
前記ピックの片面にＱＲコードが設けられている、ピック。
【請求項５】
請求項１〜４のいずれか１項に記載のピックにおいて、
前記ピックの両面または片面の中心線平均粗さは０．００５μｍ以上、かつ０．００８μｍ以上である、ピック。
【考案の詳細な説明】
【技術分野】
【０００１】
本考案はピックに関し、例えばギターの演奏に用いられるピックに好適に利用できるものである。
【背景技術】
【０００２】
例えば実用新案登録第３２１７７８１号公報（特許文献１）には、三ヵ所の角部を有するギター演奏用のピックであって、一定の板厚に形成された保持部を有すると共に、保持部から少なくとも一ヶ所の角部に向けて板厚が漸次減少しており、角部の板厚が任意に設定できるピックが記載されている。
【０００３】
また、特開２００３−１６７５７３号公報（特許文献２）には、一角に有る山頂の数を二個以上の複数にし、一角の山頂が三個以上のときに、一角に有る複数の山頂と山頂の間隔を等間隔、または不等間隔にしたピックが記載されている。
【先行技術文献】
【特許文献】
【０００４】
【特許文献１】実用新案登録第３２１７７８１号公報
【特許文献２】特開２００３−１６７５７３号公報
【考案の概要】
【考案が解決しようとする課題】
【０００５】
アコースティックギター、ベースギターまたはエレクトリックギターなどのギター演奏では、爪の代わりに弦を弾くピック（以下、ギター用ピックと言う。）が用いられる。ピックは、形状、素材または厚さなどを違えて、多種類のものが市販されており、演奏者は、曲調または演奏スタイルなどに合わせてギター用ピックを選定し、使用している。
【０００６】
ギター用ピックは、一般的に均一な板厚を有する略三角形状であって、演奏者は、打弦する手の親指と人差指とで把持部を把持し、一つの角部である打弦部をギターの弦に当てて打弦を行う。
【０００７】
ところで、演奏者は、曲調または演奏スタイルなどに合わせて、ギター用ピックの打弦部の形状の異なる複数枚のギター用ピックを使用している。このため、演奏者は、複数枚のギター用ピックを準備する必要がある。
【０００８】
そこで、例えば前記特許文献１では、三ヵ所の角部の先端の板厚を互いに異ならせることで、硬さの異なる３枚のギター用ピックと同じ機能を発揮するギター用ピックが提案されている。また、前記特許文献２では、三ヵ所の角部の先端の山頂の数をそれぞれ１個と２個と３個として、３種類の装飾音を演奏できるギター用ピックが提案されている。これらにより、ギター用ピックの枚数を増やすことなく、１枚のギター用ピックで３枚のギター用ピックと同様の機能を得ることができる。しかしながら、これらのギター用ピックは三ヵ所の角部の構造が複雑であり、同じ形状のギター用ピックを簡便に、かつ再現性よく製造することが難しいという課題がある。
その他の課題と新規な特徴は、本明細書の記述および添付図面から明らかになるであろう。
【課題を解決するための手段】
【０００９】
一実施の形態によるギター用ピックは、平面視において略三角形状であり、把持部と、第１角部、第２角部および第３角部の３つの打弦部とから構成される。第１角部、第２角部および第３角部のそれぞれの曲率半径は互いに異なり、第１角部の曲率半径Ｒ１が最も小さく、第３角部の曲率半径Ｒ３が最も大きく、第２角部の曲率半径Ｒ２は第１角部の曲率半径Ｒ１よりも大きく、かつ第３角部の曲率半径Ｒ３よりも小さく設定されている（Ｒ１＜Ｒ２＜Ｒ３）。第１角部の曲率半径Ｒ１は、０．５ｍｍ以上、かつ３．０ｍｍ以下であり、第２角部の曲率半径Ｒ２は、第１角部の曲率半径Ｒ１の２倍以上、かつ４倍未満であり、第３角部の曲率半径Ｒ３は、第１角部の曲率半径Ｒ１の４倍以上、かつ１６倍以下である。
【考案の効果】
【００１０】
一実施の形態によれば、ピッキングの質感が異なる複数のギター奏法を１枚のギター用ピックで実現することができる。
本願において開示される考案のうち、代表的なものによって得られる効果を簡単に説明すれば、以下のとおりである。
【図面の簡単な説明】
【００１１】
【図１】本考案者らが比較検討した従来技術によるギター用ピックを示す平面図である。
【図２】（ａ）および（ｂ）のそれぞれは、一実施の形態によるギター用ピックの一例を示す平面図および同図（ａ）のＡ−Ａ´線に沿った断面図である。
【図３】一実施の形態によるギター用ピックの他の例を示す平面図である。
【考案を実施するための形態】
【００１２】
以下、実施の形態を図面に基づいて詳細に説明する。なお、実施の形態を説明するための全図において、同一の機能を有する部材には同一または関連する符号を付し、その繰り返しの説明は省略する。また、複数の類似の部材（部位）が存在する場合には、総称の符号に記号を追加し個別または特定の部位を示す場合がある。また、以下の実施の形態では、特に必要なとき以外は同一または同様な部分の説明を原則として繰り返さない。
（課題の詳細な説明）
【００１３】
まず、本実施の形態によるギター用ピックの構造が明確になると思われるため、本考案者らが比較検討を行ったギター用ピックにおける課題について説明する。図１は、本考案者らが比較検討した従来技術によるギター用ピックを示す平面図である。
【００１４】
図１に示すように、市販されているギター用ピック１１は、一般的に均一な板厚を有する略三角形状であって、演奏者は、打弦する手の親指と人差指とで把持部１２を把持し、一つの角部（頂点とも言う。）である打弦部１３をギターの弦に当てて打弦を行う。このギター用ピック１１はフラットピックと呼ばれ、主にストロークやカッティングと呼ばれる奏法に用いられる。
【００１５】
図１には、現在最も多く使われているティアドロップ型のギター用ピック１１を示している。ティアドロップ型のギター用ピック１１は、打弦部１３となる一ヶ所の角部が、他の二ヵ所の角部に比べてシャープな角度となっている。ここでの詳細な説明は省略するが、三ヵ所の角部が同じ角度であるトライアングル型（おにぎり型）のギター用ピックも多く使われている。また、ギター用ピック１１の素材は、安価で、かつ扱いやすいことから、合成樹脂が主流であり、特にセルロイドは素材の定番として使われている。
【００１６】
ところで、ギター用ピック１１の打弦部１３の角度は、例えばピッキングの質感など、ギター奏法に影響を及ぼす。ティアドロップ型のギター用ピック１１では、打弦部１３はシャープな角度となっており、ギターの弦に接する面積が少なく、軽い力でピッキングすることができるので、あらゆる演奏スタイルに柔軟に対応することができる。しかし、ギター用ピック１１の打弦部１３は一ヶ所であり、その角度はギター用ピック１１によって異なるため、演奏者は、曲調または演奏スタイルなどに合わせて、複数枚のギター用ピック１１を準備する必要がある。
【００１７】
また、トライアングル型のギター用ピックでは、三ヶ所の打弦部があるが、その全ての角度がほぼ同じであることから、ティアドロップ型のギター用ピック１１と同様、演奏者は、曲調または演奏スタイルなどに合わせて、複数枚のギター用ピックを準備する必要がある。
【００１８】
さらに、ギター用ピック１１の素材の定番であるセルロイドは、ギターの弦への喰い付きがよく、倍音豊かなアタック感が得られるという持ち味を有している。しかし、削れやすく、薄いと割れやすいという欠点がある。
（実施の形態）
【００１９】
本実施の形態によるギター用ピックについて図２および図３を用いて説明する。図２（ａ）および（ｂ）のそれぞれは、本実施の形態によるギター用ピックの一例を示す平面図および同図（ａ）のＡ−Ａ´線に沿った断面図である。図３は、本実施の形態によるギター用ピックの他の例を示す平面図である。
【００２０】
図２（ａ）および（ｂ）に示すように、ギター用ピック１は、均一な板厚を有するフラットピックであり、その板厚は、例えば０．５ｍｍ以上、かつ２．０ｍｍ以下である。また、ギター用ピック１は、演奏者の打弦する手の親指と人差指とで把持する把持部２と、３つの角部である打弦部３とから構成され、平面視において略三角形状である。
【００２１】
具体的には、ギター用ピック１は、第１角部３Ａ、第２角部３Ｂおよび第３角部３Ｃを有し、さらに、第１角部３Ａと第２角部３Ｂとを繋ぐ第１辺４Ａ、第２角部３Ｂと第３角部３Ｃとを繋ぐ第２辺４Ｂおよび第３角部３Ｃと第１角部３Ａとを繋ぐ第３辺４Ｃを有する。ギター用ピック１の外周端部は、その断面において円弧状となるように形成されており、これにより、ギターの弦への引っかかりを低減することができる。
【００２２】
また、第１角部３Ａ、第２角部３Ｂおよび第３角部３Ｃのそれぞれの曲率半径は互いに異なり、第１角部３Ａの曲率半径Ｒ１が最も小さく、第３角部３Ｃの曲率半径Ｒ３が最も大きく、第２角部３Ｂの曲率半径Ｒ２は第１角部３Ａの曲率半径Ｒ１よりも大きく、かつ第３角部３Ｃの曲率半径Ｒ３よりも小さく設定されている（Ｒ１＜Ｒ２＜Ｒ３）。例えば第１角部３Ａの曲率半径Ｒ１は、０．５ｍｍ以上、かつ３．０ｍｍ以下であり、第２角部３Ｂの曲率半径Ｒ２は、第１角部３Ａの曲率半径Ｒ１の２倍以上、かつ４倍未満であり、第３角部３Ｃの曲率半径Ｒ３は、第１角部３Ａの曲率半径Ｒ１の４倍以上、かつ１６倍以下である。
【００２３】
言い換えれば、第１角部３Ａは、他の角部（第２角部３Ｂおよび第３角部３Ｃ）に比べて先端が尖った形状となっており、第３角部３Ｃは、他の角部（第１角部３Ａおよび第２角部３Ｂ）に比べて先端が丸い形状となっている。
【００２４】
同じ演奏者が、ギター用ピック１を用いてギターを演奏したところ、第１角部３Ａでギターの弦を弾いた場合と第３角部３Ｃでギターの弦を弾いた場合とでは、ピッキングの質感が異なるという評価が得られた。
【００２５】
すなわち、演奏者が、第１角部３Ａをギターの弦に当ててギターを演奏すると、ギターの弦との抵抗は感じられるが、クリアでシャープな音を得ることができた。
【００２６】
一方、演奏者が、第３角部３Ｃをギターの弦に当ててギターを演奏すると、ピッキングコントロールがしやすく、また、マイルドなギタートーンを得ることができた。ピッキングコントロールのしやすさは、第３角部３Ｃの先端が丸い形状であることから、第３角部３Ｃがギターの弦に引っかかりにくいことに起因すると考えられる。
【００２７】
ギター用ピック１の素材は、例えばジルコニア（二酸化ジルコニウム、化学式：ＺｒＯ２）である。ギター用ピック１に用いたジルコニアの純度は、例えば８３％以上、かつ９６％以下であり、このジルコニアには、安定化剤として、例えば酸化イットリウムなどの希土類酸化物が添加されている。すなわち、このジルコニアは、硬度が高く、また、強度（変形や破壊に対する抵抗力）および破壊靭性（破壊に対する抵抗力、粘り強さ）に優れており、そのビッカーズ硬度は、例えば１,２５０ＨＶ以上、かつ１,３００ＨＶ以下である。従って、ジルコニアからなるギター用ピック１は、板厚が１ｍｍより薄くても、削れにくく、かつ割れにくいという利点がある。
【００２８】
また、ジルコニアからなるギター用ピック１は、硬度が高いことから、ピックスクラッチ奏法に適している。さらに、ギター用ピック１がギターの弦に当たる瞬間に擦れる音が入り、ギターの弦を弾いた感覚と実音が聴こえてくるまでに時差が生じることから、コンプレッサーを使用した時と似た音色を出すことができる。また、ギター用ピック１はしならないので、ほぼ手の動きの通りにギターの弦を弾くことができる。
【００２９】
ジルコニアからなるギター用ピック１は、例えばジルコニア板から所望する形状の原型を切り出した後、研磨よってその第１面および第１面と反対側の第２面を平坦に加工し、外周端部を円弧状に加工することによって形成される。ジルコニア板の厚さはほぼ一定であり、ジルコニア板から所望する形状の原型を、例えばレーザーなどによって正確に切り出すことができるので、簡便に、かつ再現性よく所望する形状のギター用ピック１を製造することができる。
【００３０】
さらに、ギター用ピック１の片面（第１面または第２面）または両面（第１面および第２面）を鏡面仕上げすることによって、片面または両面の表面粗さ（中心線平均粗さＲａ）を、例えば０．００５μｍ以上、かつ０．００８μｍ以上としてもよい。片面または両面の表面粗さが小さくなることにより、ギター用ピック１が演奏者の手から滑りにくくなるという効果が得られる。
【００３１】
さらに、図３に示すように、ギター用ピック１の片面（第１面または第２面）にＱＲコード（登録商標）５を設けてもよい。ＱＲコード５を読み取ることによって様々な情報を得ることができる。例えばＱＲコード５に企業サイトのアドレスを記載すれば、会社案内や製品紹介などの情報に簡単にアクセスすることができる。ＱＲコード５は、例えばレーザーなどによって形成することができる。ＱＲコード５を設けることで、ギター用ピック１が演奏者の手から滑りにくくなるという効果も得られる。
【００３２】
このように、本実施の形態によるギター用ピック１は、互いに曲率半径が異なる第１角部３Ａ、第２角部３Ｂおよび第２角部３Ｃを有し、それぞれを打弦部３としてギター演奏に用いることができる。これにより、演奏者は、曲調または演奏スタイルなどに合わせて、第１角部３Ａ、第２角部３Ｂおよび第３角部３Ｃを使い分けることによって、ピッキングの質感が異なる複数のギター奏法を１枚のギター用ピック１で実現することができる。
また、ギター用ピック１の素材をジルコニアとすることによって、ギター用ピック１の破損を低減することができる。
また、ギター用ピック１の片面にＱＲコード５を設けることによって、ギター用ピック１から様々な情報を得ることができる。
【００３３】
以上、本考案者らによってなされた考案を実施の形態に基づき具体的に説明したが、本考案は前記実施の形態に限定されるものではなく、その要旨を逸脱しない範囲で種々変更可能であることはいうまでもない。
【００３４】
例えば、前記実施の形態では、アコースティックギター、ベースギターまたはエレクトリックギターなどのギター演奏に用いられるピックについて説明したが、マンドリン、バンジョーなどの弦楽器にも用いることができる。
【符号の説明】
【００３５】
１  ギター用ピック
２  把持部
３  打弦部
３Ａ  第１角部
３Ｂ  第２角部
３Ｃ  第３角部
４Ａ  第１辺
４Ｂ  第２辺
４Ｃ  第３辺
５  ＱＲコード（登録商標）
１１  ギター用ピック
１２  把持部
１３  打弦部
【図１】
0003224197.tif 000003
【図２】
0003224197.tif 000004
【図３】
0003224197.tif 000005
【手続補正書】
【提出日】令和1年10月2日(2019.10.2)
【手続補正１】
【補正対象書類名】実用新案登録請求の範囲
【補正対象項目名】請求項４
【補正方法】変更
【補正の内容】
【請求項４】
請求項１〜３のいずれか１項に記載のピックにおいて、
前記ピックの片面にＱＲコード（登録商標）が設けられている、ピック。